(57)【要約】【課題】リモコン器の電力浪費が少ない構成で操作性を飛躍的に向上する。【解決手段】リモコン器１ａの操作ボタン部１０のいずれかのボタンが設定時間操作されなきときに限り、本体装置２ａの送信部２１が操作可能ボタンの情報をリモコン器１ａに送信し、リモコン器１ａの受信部１３のその情報の受信に基づき、操作ボタン部１０の操作可能なボタンを点灯してユーザーに報知し、同時に、操作可能ボタンの情報が指定するボタンに設定された機能を画面表示装置４に表示する。更に、リモコン器１ａを操作して操作メニューを選択したときに、操作ボタン部１０の各ボタンに割り当てられた機能一覧を画面表示装置４に表示する。【選択図】図１
2008060770.tif 000002
【特許請求の範囲】
【請求項１】
遠隔操作用の携帯型のリモコン器と本体装置との通信により、前記本体装置が前記リモコン器のボタン操作にしたがって映像、音声の少なくともいずれか一方の信号の再生又は記録再生の処理を行なうリモコン付き処理装置において、前記リモコン器が、点灯機能付きの操作用の複数個のボタンを有する操作ボタン部と、前記操作ボタン部のボタン操作を検出し、操作されたボタンに対応するキー信号を出力するボタン操作検出手段と、前記キー信号を本体装置に送信出力するリモコン側の送信手段と、前記本体装置から送信された操作可能ボタンの情報を受信するリモコン側の受信手段と、前記操作ボタン部の前記操作可能ボタンの情報が指定するボタンを点灯制御するボタン点灯制御手段とを備え、前記本体装置が、前記リモコン器からの前記キー信号を受信する本体側の受信手段と、前記本体側の受信手段が前記キー信号の無受信状態で設定時間経過したときにのみ前記操作可能ボタンの情報を記憶手段から検索して前記リモコン器に送信する本体側の送信手段と、前記操作可能ボタンの情報の送信に連動して該情報が指定するボタンに設定されたボタン別機能案内の表示信号を画面表示装置に出力する機能案内表示制御手段と、前記リモコン器からの操作メニュー選択のキー信号の受信により前記操作ボタン部の各ボタンに割り当てられた機能一覧の操作メニューの表示信号を前記画面表示装置に出力する操作メニュー表示制御手段とを備えたことを特徴とするリモコン付き処理装置。
【請求項２】
前記画面表示装置は、前記本体装置の映像画面の表示装置であることを特徴とする請求項１記載のリモコン付き処理装置。
【請求項３】
前記画面表示装置は、前記本体装置と別体であって前記本体装置に接続されていることを特徴とする請求項１記載のリモコン付き処理装置。
【請求項４】
前記画面表示装置は前記リモコン器に設けられ、前記ボタン別機能案内の表示信号、前記操作メニューの表示信号が前記本体側の送信手段から前記リモコン側の受信手段を介して前記画面表示装置に供給されることを特徴とする請求項１記載のリモコン付き処理装置。
【請求項５】
前記操作メニューの表示信号は、前記本体側の受信手段が前記キー信号を受信するまで一定時間毎に前記操作メニューを初期画面から順に切り替える信号であることを特徴とする請求項１乃至４のいずれか１項に記載のリモコン付き処理装置。
【発明の詳細な説明】
【技術分野】
【０００１】
本発明は、ＤＶＤ、ＣＤのプレーヤ／レコーダやテレビ受信装置等の付属の携帯型のリモコン器のボタン操作にしたがって映像、音声の少なくともいずれか一方の信号の再生又は記録再生の処理を行なうリモコン付き処理装置に関し、詳しくはその操作性の向上に関する。
【背景技術】
【０００２】
従来、映像や音声の再生、記録再生を行なう処理装置として、テレビ番組を受信して再生表示するテレビ受信装置の他、該テレビ受信装置に接続して使用されることが多いビデオテープのプレーヤ／レコーダ、ＤＶＤやＣＤ等のディスクのプレーヤ／レコーダ、ＨＤＤ（ハードディスク装置）のレコーダ、更には、それら（テレビ受信装置を含む）を組合わせた複合装置がある。
【０００３】
そして、これらの映像や音声の処理装置は、通常、ユーザーが手元で操作する遠隔操作用の携帯型のリモコン器を備え、該リモコン器と本体装置との赤外線を媒体とする無線の通信により、本体装置の電源のオン／オフ、テレビチャンネルの切り替え、再生や記録のスタート／ストップ等の種々の動作が制御され、本体装置がリモコン器のボタン操作にしたがって映像、音声の少なくともいずれか一方の信号の再生又は記録再生の処理を行なうようになっている。
【０００４】
ところで、近年はこの種のリモコン付き処理装置の機能が豊富になり、リモコン器には操作用の多数のボタンが設けられ、各ボタンは個別に機能が割り当てられるだけでなく、複数個のボタンの順次操作や同時操作に対しても機能が割り当てられることが多い。この場合、各機能はリモコン器のボタン操作によって階層的に選択される。
【０００５】
したがって、とくに購入直後の不慣れなユーザー等は、操作に迷ったり操作ミスをするだけでなく、どのような機能あるのかすら十分は分からず、容易には使いこなせない虞がある。
【０００６】
そこで、例えばテレビ受信装置において、リモコン器と本体装置との双方向の通信により、本体装置からリモコン器に受付可能なボタンの情報（キー情報）の信号を送信し、リモコン器の該当するボタン（操作キー）を発光し、ユーザーが次の操作（現在の操作）を容易に確認できるようにすることが提案されている（例えば、特許文献１参照。）。
【０００７】
又、リモコン器に多数のボタン（リモコンキー）がある場合に、本体装置からリモコン器に現在の状態信号を送信し、リモコン器により受信した状態信号に対応した操作可能なボタンを判別し、操作可能なボタンを発光してユーザーに報知することも提案されている（例えば、特許文献２参照）。
【特許文献１】特開平１０−２８２９７号公報（要約書、段落［００２４］−［００３２］、図１等）
【特許文献２】特開平１１−３１７９８６号公報（要約書、請求項１、段落［００４０］−［００４２］、図１等）
【発明の開示】
【発明が解決しようとする課題】
【０００８】
前記特許文献１、２に記載のようにリモコン器の次に操作可能なボタン（操作キー、リモコンキー）を必ず発光して点灯表示することは、ユーザーの操作性の向上の点からは好ましいが、本体装置の現在の状態等にしたがってリモコン器のいずれか一つ又は複数個のボタンが常に発光して点灯した状態になるので、その分リモコン器の電源（バッテリ）の消費電力が多くなり、リモコン器の電源を浪費する問題があると共に、操作に慣れた後等にはそのようなボタンの発光が却ってユーザーに煩わしさを与える虞もある。
【０００９】
又、操作可能なボタンが発光して点灯するだけでは、そのボタンの操作でどのような機能が実行されるのかが分からず、しかも、どのような機能があるのかを知ることもできないため、この点での操作性の向上を図ることもできない。
【００１０】
本発明は、この種のリモコン付きの処理装置において、リモコン器の電源浪費を極力防止すると共に操作に慣れた後等に煩わしさを与えることがないようにして次に操作可能なボタンを点灯報知するようにし、その上、そのボタンの操作によって実行される機能が容易に分かるようにすると共にどのような機能があるのかが必要に応じて容易に把握できるようにし、リモコン器の電力浪費が少ない構成で操作性を飛躍的に向上することを目的とする。
【課題を解決するための手段】
【００１１】
上記の目的を達成するために、本発明のリモコン付き処理装置は、遠隔操作用の携帯型のリモコン器と本体装置との通信により、前記本体装置が前記リモコン器のボタン操作にしたがって映像、音声の少なくともいずれか一方の信号の再生又は記録再生の処理を行なうリモコン付き処理装置において、前記リモコン器が、点灯機能付きの操作用の複数個のボタンを有する操作ボタン部と、前記操作ボタン部のボタン操作を検出し、操作されたボタンに対応するキー信号を出力するボタン操作検出手段と、前記キー信号を本体装置に送信出力するリモコン側の送信手段と、前記本体装置から送信された操作可能ボタンの情報を受信するリモコン側の受信手段と、前記操作ボタン部の前記操作可能ボタンの情報が指定するボタンを点灯制御するボタン点灯制御手段とを備え、前記本体装置が、前記リモコン器からの前記キー信号を受信する本体側の受信手段と、前記本体側の受信手段が前記キー信号の無受信状態で設定時間経過したときにのみ前記操作可能ボタンの情報を記憶手段から検索して前記リモコン器に送信する本体側の送信手段と、前記操作可能ボタンの情報の送信に連動して該情報が指定するボタンに設定されたボタン別機能案内の表示信号を画面表示装置に出力する機能案内表示制御手段と、前記リモコン器からの操作メニュー選択のキー信号の受信により前記操作ボタン部の各ボタンに割り当てられた機能一覧の操作メニューの表示信号を前記画面表示装置に出力する操作メニュー表示制御手段とを備えたことを特徴としている（請求項１）。
【００１２】
そして、前記画面表示装置は、前記本体装置の映像画面の表示装置であってよく（請求項２）、前記本体装置と別体であって前記本体装置に接続されていてもよい（請求項３）。更に、前記画面表示装置は前記リモコン器に設けられ、前記ボタン別機能案内の表示信号、前記操作メニューの表示信号が前記本体側の送信手段から前記リモコン側の受信手段を介して前記画面表示装置に供給される構成であってもよい（請求項４）。
【００１３】
次に、前記操作メニューの表示信号は、前記本体側の受信手段が前記キー信号を受信するまで一定時間毎に前記操作メニューを初期画面から順に切り替える信号であることが好ましい（請求項５）。
【発明の効果】
【００１４】
請求項１の発明によれば、リモコン器の操作ボタン部のいずれかのボタンが設定時間操作されなきときに限り、本体装置の本体側の送信手段が操作可能ボタンの情報をリモコン器に送信し、リモコン器において、リモコン側の受信手段がその操作可能ボタンの情報を受信し、ボタン点灯制御手段が操作可能ボタンの情報によって指定された操作可能なボタンを点灯してユーザーに報知することができる。
【００１５】
同時に、本体装置の機能案内表示制御手段のボタン別機能案内の表示信号に基づき、前記操作可能ボタンの情報が指定するボタンに設定された機能を、画面表示装置に表示することができる。
【００１６】
更に、ユーザーがリモコン器を操作して操作メニューを選択すると、本体装置の操作メニュー表示制御手段の操作メニューの表示信号に基づき、操作ボタン部の各ボタンに割り当てられた機能一覧を前記画面表示装置に表示することができる。
【００１７】
この場合、ユーザーが操作に迷ったりしてリモコン器のボタン操作が設定時間行なわれないときに限り、操作可能なボタンが点灯して操作案内が行なわれ、慣れたユーザーが必要なボタン操作をすばやく順に行なって所望の機能を選択するときにはボタンは点灯せず、リモコン器の前記点灯による電源浪費を極力防止すると共に操作に慣れた後等に煩わしさを与えることがないようにして、次に操作可能なボタンを点灯報知することができる。その上、操作可能なボタンが点灯して操作案内が行なわれるときには、同時に、そのボタンの操作によって実行される機能を画面表示装置の表示から容易に知ることができ、しかも、必要に応じてリモコン器の操作メニューを選択することにより、操作ボタン部の各ボタンに割り当てられた機能一覧を前記画面表示装置の表示から容易に把握することができる。
【００１８】
したがって、リモコン器の電力浪費が少ない構成で操作性を飛躍的に向上することができる。
【００１９】
請求項２の発明によれば、本体装置の映像画面の表示装置を前記画面表示装置に利用し、操作可能なボタンの操作によって実行される機能や、リモコン器の操作ボタン部の各ボタンに割り当てられた機能一覧を、大きく見易く表示することができ、所望の機能を探し易く、各機能の習熟効果も向上する。
【００２０】
請求項３の発明によれば、本体装置が映像画面の表示装置を備えていないビデオテープのプレーヤ／レコーダ、ＤＶＤやＣＤ等のディスクのプレーヤ／レコーダ等の場合に、本体装置が接続されるテレビ受信装置等を表示装置として、操作可能なボタンの操作によって実行される機能や、リモコン器の操作ボタン部の各ボタンに割り当てられた機能一覧を、大きく見易く表示することができ、請求項２の発明と同様の効果を奏する。
【００２１】
請求項４の発明によれば、操作可能なボタンの操作によって実行される機能や、リモコン器の操作ボタン部の各ボタンに割り当てられた機能一覧を、リモコン器に表示することができ、リモコン器側の表示によって請求項２の発明と同様の効果を奏する。
【００２２】
請求項５の発明によれば、リモコン器の操作ボタン部の各ボタンに割り当てられた機能一覧を、自動的に頁をめくるように順次に表示することで、所望の機能を一層容易に探し出すこと等ができ、操作性が一層向上する。
【発明を実施するための最良の形態】
【００２３】
次に、本発明をより詳細に説明するため、その実施形態について、図１〜図９にしたがって詳述する。
【００２４】
（第１の実施形態）
まず、請求項１、３、５に対応する第１の実施形態について、図１〜図６を参照して説明する。
【００２５】
図１は例えばＤＶＤレコーダからなるリモコン付き処理装置のブロック図、図２は図１の携帯型のリモコン器１ａの動作説明用のフローチャート、図３は図１の本体装置２ａの動作説明用のフローチャートである。図４はボタン別機能案内の表示画面例であり、図５はリモコン器１ａと本体装置２ａの連係する動作の説明図である。図６は操作メニューの表示画面例である。
【００２６】
＜リモコン器１ａの構成＞
図１のリモコン器１ａにおいて、１０は操作ボタン部であり、テンキーボタン等の操作用の多数個のボタン（図示せず）が設けられ、各ボタンは例えば発光ダイオードを内蔵した自動復帰型の押ボタンスイッチからなる。１１はボタン操作検出手段を形成するボタン操作検出部であり、操作ボタン部１０の各ボタンの操作をそれぞれの接点信号の変化から検出し、各ボタンに対応して予め設定されたコードのキー信号を出力する。
【００２７】
１２はリモコン側の送信手段を形成する赤外線の送信部であり、ボタン操作検出部１１から出力されたキー信号等の赤外線を本体装置２ａの赤外線の受信部２０に送信する。１３はリモコン側の受信手段を形成する赤外線の受信部であり、本体装置２ａの赤外線の送信部２１から送信された操作可能ボタンの情報等の赤外線を受信する。
【００２８】
１４はボタン点灯制御手段を形成するボタン点灯制御部であり、本体装置２ａから送信されて受信部１３が受信した操作可能ボタンの情報につき、例えば各操作可能ボタンの情報それぞれが指定する１個又は複数個のボタンの一覧データから、該当する指定の１個又は複数個のボタンを検出し、検出したボタンの発光ダイオードを点灯してそれらのボタンを連続的に又は点滅状に点灯（発光）する。尚、ボタン点灯制御部１４は操作ボタン部１０のいずれかのボタンが発光した状態でボタン操作が行なわれると全てのボタンを消灯状態にリセットする。
【００２９】
そして、リモコン器１ａは周知の赤外線リモコン器と同様にボタン電池等の電池を電源（バッテリ）として動作し、ボタン操作検出部１１、ボタン点灯制御部１４等はマイクロコンピュータや専用のＡＳＩＣ等で形成される。
【００３０】
＜本体装置２ａの構成＞
図１の本体装置２ａにおいて、受信部２０は本体側の受信手段を形成し、キー信号の受信毎に制御処理部２２の無受信期間検出用のタイマ部２２０を起動する。２２１は制御処理部２２の操作内容判別部であり、記憶手段を形成するデータ記憶部２２２のキー信号と機能のコードとの対応表データから、受信部２０が受信したキー信号のコードを認識して操作内容に対応する機能を判別する。２２３は動作制御部であり、操作内容判別部２２１が判別した機能の動作、例えば電源のオン／オフ、再生・記録のスタート／ストップやモードの切り替え、映像・音声の出力設定等を実行する。
【００３１】
２２４は操作予測部であり、直前のキー信号の受信から例えば１０秒前後の設定時間無受信でタイマ部２２０がタイムアップしたときに、直前のキー信号の受信の有無及び操作内容判別部２２１が判別した直前のキー信号の機能等に基づき、データ記憶部２２２の各機能の階層的な操作・処理等のデータを参照して次の１つ又は複数個の操作を予測し、該当する操作の各ボタンの情報を送信制御部２２５を介して送信部２１に出力する。又、操作予測部２２４は、それらのボタンに設定されたボタン別機能案内の例えばオンスクリーンディスプレイ（ＯＳＤ）の表示信号を表示制御部２２６に出力し、表示制御部２２６と共に機能案内表示制御手段を形成する。
【００３２】
２２７は操作メニュー出力部であり、受信部２０がリモコン器１ａからの操作メニュー選択のキー信号を受信したときに、操作内容判別部２２１の操作メニュー選択の判別に基づく動作制御部２２３の制御により、データ記憶部２２２からリモコン器１ａの操作ボタン部１０の各ボタンに割り当てられた機能一覧の操作メニューのデータを読み出し、該操作メニューのＯＳＤの表示信号を表示制御部２２６に出力し、表示制御部２２６と共に操作メニュー表示制御手段を形成する。
【００３３】
そして、表示制御部２２６は前記ボタン別機能案内のＯＳＤの表示信号、前記操作メニューのＯＳＤの表示信号を表示出力部２３に出力する。表示出力部２３はこれらのＯＳＤの表示信号を本体装置２ａの図示省略した再生記録の信号処理回路部からの再生映像や記録モニタ映像の表示信号に重畳し、例えばＨＤＭＩケーブル３を介して本体装置２ａに外部接続された画面表示装置４に供給する。画面表示装置４は本体装置２ａと別体の例えばテレビ受信装置からなり、本体装置２ａが出力する映像の画面表示及び音声出力を行なう。
【００３４】
一方、送信部２１は送信制御部２２５と共に前記操作可能ボタンの情報をデータ記憶部２２２から検索してリモコン器１ａに送信する本体側の送信手段を形成する。
【００３５】
尚、本体装置２ａは周知のＤＶＤレコーダの本体装置と同様に商用電源で動作し、制御処理部２２の各部２２０〜２２６等は、実際にはマイクロコンピュータや専用のＡＳＩＣ等で形成される。
【００３６】
以上の構成に基づき、リモコン器１ａ、本体装置２ａは次に説明するように動作する。
【００３７】
＜動作＞
リモコン器１ａは図２のステップＡ１〜Ａ６に示すように動作し、ステップＡ１によりボタン操作検出部１１が操作ボタン部１０のボタン操作の発生を監視する。
【００３８】
そして、ボタン操作があると、ステップＡ２によりボタン点灯制御部１４が全てのボタンを消灯状態にリセットした後、ステップＡ３によりボタン操作検出部１１が該当するコードのキー信号を送信部１２に出力し、送信部１２がそのキー信号の赤外線を本体装置２ａに無線送信する。
【００３９】
一方、ステップＡ１でボタン操作の発生が検出されなければ、ステップＡ４に移行し、受信部１３により本体装置２ａからの操作可能ボタンの情報の受信の有無を監視する。
【００４０】
そして、ユーザーが操作に迷ったりして直前のボタン操作から設定時間ボタン操作を行なわないときに限り、次の操作が予測されることを条件に、本体装置２ａから次の操作の操作可能ボタンの情報を受信し、この受信によってステップＡ４からステップＡ５に移行し、ボタン点灯制御部１４により操作ボタン部１０の操作可能ボタンの情報が指定する次の操作の一つ又は複数個のボタンを判別し、該判別に基づき、ステップＡ６によって前記次の操作の一つ又は複数個のボタンを点灯して発光し、操作すべきボタンをユーザーに報知する。
【００４１】
本体装置２ａは図３のステップＢ１〜Ｂ１６に示すように動作し、ステップＢ１により受信部２０がリモコン器１ａからのキー信号の受信の有無を監視する。
【００４２】
そして、キー信号を受信すると、受信部２０がタイマ部２２０を起動してステップＢ１からステップＢ２に移行し、操作内容判別部２２１により、受信したキー信号の操作内容を判別する。
【００４３】
このとき、判別した操作内容が操作メニューの選択でなく、電源のオン／オフ、再生・記録のスタート／ストップやモードの切り替え、映像・音声の出力設定等の通常の制御であれば、ステップＢ２からステップＢ３を介してステップＢ４に移行し、動作制御部２２３によってその制御を実行する。
【００４４】
更に、ステップＢ４からステップＢ５に移行して操作予測部２２４が操作内容判別部２２１の判別結果等に基づき、次の可能な操作の有無を判別する。
【００４５】
そして、次の可能な操作がある場合、ステップＢ５からステップＢ６に移行し、ステップＢ６からステップＢ１、Ｂ７を介してステップＢ６に戻るループ処理により、操作予測部２２４はタイマ部２２０の状態等からリモコン器１ａのボタン操作が行なわれないで設定時間が経過したか否かを判別する。
【００４６】
ここで、慣れたユーザーであれば前記設定時間以内に次のボタン操作を行なうため、ステップＢ６からステップＢ１に戻ってキー信号の受信を検出し、ステップＢ１からステップＢ２に移行する。この場合、リモコン器１ａの操作ボタン部１０はボタンが点灯（発光）することはない。
【００４７】
一方、ユーザーが操作に迷ったりしてリモコン器１ａのボタン操作が設定時間行なわれなければ、ステップＢ６からステップＢ８に移行する。
【００４８】
そして、前記設定時間の経過に基づいて無条件に該当する前記操作可能ボタンの情報をリモコン器１ａに送信してもよいが、本実施形態においては、ユーザーの操作を極力少なくして操作性を向上するため、該当する次の操作が１つしかなく、その操作が確実に行われる操作であるような場合、例えば、テレビ番組の予約記録において、チャンネルや時間の設定を終了した状態である場合には、ステップＢ８からステップＢ９に移行し、動作制御部２２３が操作予測部２２４の予測結果の操作の動作制御を自動的に実行する。
【００４９】
又、該当する次の操作が上述の自動実行できる操作でない場合は、ステップＢ８からステップＢ１０に移行し、操作予測部２２４がデータ記憶部２２２から検索した前記操作可能ボタンの情報を送信制御部２２５を介して送信部２１からリモコン器１ａに赤外線送信し、リモコン器１ａの次の操作の一つ又は複数個のボタンを点灯して発光する。
【００５０】
更に、ステップＢ１０からステップＢ１１に移行し、前記操作可能ボタンの情報を送信すると同時に、前記操作可能ボタンのボタン別機能案内のＯＳＤの表示信号を表示制御部２２６、表示出力部２３を介して画面表示装置４に送り、発光しているボタンの機能説明を画面表示してユーザーの操作を支援する。
【００５１】
尚、例えば再生の一時停止後にボタン別機能案内が画面表示される場合、画面表示装置４には例えば図４に示すように、一時停止の画面Ｐ１ａが表示され、それから設定時間（一定時間）後、該当するボタン別機能案内の画面Ｐ１ｂが表示される。
【００５２】
そして、リモコン器１ａと本体装置２ａとの上述の一連の連係する動作は、概略図５のステップＣ１に示すようになる。
【００５３】
すなわち、リモコン器１ａから操作されたボタンのキー信号が送信されると（ステップＣ１）、本体装置２ａが受信し（ステップＣ２）、その機能の動作を実行する（ステップＣ３）。その後設定時間内にボタン操作がなければ、ステップＣ３からステップＣ４を介してステップＣ５に移行し、本体装置２ａは予想される次の操作の操作可能ボタンの情報をリモコン器１ａに送信するか、前記次の操作を自動的に実行する。更に、操作可能ボタンの情報を送信したときは、同時に、その機能案内を画面表示装置４に表示する（ステップＣ６）。そして、リモコン器１ａでは操作可能ボタンの情報を受信し（ステップＣ７）、該当するボタンを判別し（ステップＣ８）、そのボタンを点灯して発光し（ステップＣ９）この発光に基づいてユーザーがそのボタンを操作するとステップＣ１に戻る。
【００５４】
この場合、ユーザーが操作に迷ったりしたときには、次の操作が該当するボタンの発光とそのボタンの機能の画面表示とで分かり易く示され、操作性が向上する。
【００５５】
そして、設定時間内に次のボタン操作が行なわれるときにはボタンの点灯や機能の画面表示が行われないので、慣れたユーザーが必要なボタン操作をすばやく順に行なって所望の機能を選択するような場合の不必要なボタン点灯がなく、リモコン器１ａの前記点灯による電源浪費を極力防止することができると共に、操作に慣れた後等にボタンの点灯や機能の表示がなされず、煩わしさを与えることがない。
【００５６】
次に、ユーザーが操作メニューのボタンを操作したときは、リモコン器１ａからの操作メニュー選択のキー信号の受信に基づいて図３のステップＢ３からステップＢ１２に移行し、操作メニュー出力部２２７がデータ記憶部２２２から操作メニューのデータを読み出し、その最初の頁のＯＳＤの表示信号を表示制御部２２６、表示出力部２３を介して画面表示装置４に送り、操作メニューを初期表示する。
【００５７】
そして、この初期表示を見たユーザーがボタン操作を行なうと、そのキー信号の受信に基づき、ステップＢ１２からステップＢ１に戻ってそのボタンの機能の制御を行なうが、前記初期表示から例えば数秒程度の設定された待ち時間が経過してもユーザーがボタン操作を行なわず、キー信号を受信しないときは、ステップＢ１３からステップＢ１４を介してステップＢ１５に移行し、キー信号を受信しない限り、ステップＢ１５、Ｂ１６のループ処理によって操作メニューの次頁以降の各頁のＯＳＤの表示信号を、前記待ち時間の間隔で表示制御部２２６、表示出力部２３を介して画面表示装置４に順に切り替えて送り、リモコン器１ａの操作ボタン部１０の各ボタンに割り当てられた機能一覧を、自動的に順次に画面表示する。
【００５８】
この場合、画面表示装置４の操作メニューの画面表示は、例えば図６に示すように、一定時間毎に初期画面Ｐ２ａから画面Ｐ２ｂ、Ｐ２ｃ、Ｐ２ｄ、…に頁をめくるように順次に切り替わり、所望の機能を一層容易に探し出すこと等ができ、操作性が一層向上する。
【００５９】
したがって、本実施形態の場合は、リモコン器１ａの電源浪費を極力防止すると共に操作に慣れた後等に煩わしさを与えることがないようにして次に操作可能なボタンを点灯報知することができる。又、そのボタンの操作によって実行される機能を、本体装置２ａに接続された画面表示装置４によって容易に分かるように画面表示することができる。更に、画面表示装置４に操作メニューを画面表示し、どのような機能があるのかを必要に応じて容易に把握することができる。その上、一定の動作についてはユーザーがボタン操作しなくても自動的に実行することができる。そのため、リモコン器１ａの電力浪費が少ない構成で操作性を飛躍的に向上することができる。
【００６０】
（第２の実施形態）
次に、請求項２、４、５に対応する第２の実施形態について、図７〜図９を参照して説明する。
【００６１】
図７は図１と同様のＤＶＤレコーダからなるリモコン付き処理装置のブロック図、図８は図７の携帯型のリモコン器１ｂの動作説明用のフローチャート、図９は図７の本体装置２ｂの動作説明用のフローチャートである。
【００６２】
そして、図７において、図１と同一符号は同一若しくは相当するものを示し、図７の処理装置が図１の処理装置と異なる点は、前記ボタン別機能案内や前記操作メニューの画面表示装置１５が、リモコン器１ｂの例えば液晶表示パネルからなり、リモコン器１ｂに設けられている点である。
【００６３】
そのため、本体装置２ｂには図１の表示制御部２２６に代えて表示制御部２２６＊が設けられ、該表示制御部２２６＊は操作予測部２２４のボタン別機能案内のＯＳＤの表示信号及び操作メニュー出力部２２７の操作メニューのＯＳＤの表示信号を送信制御部２２５を介して送信部２１からリモコン器１ｂに赤外線送信する。
【００６４】
尚、図７においては図１の表示出力部２３、画面表示装置４に相当する、再生や記録の映像表示の表示出力部、画面表示装置は図示を省略している。
【００６５】
上述した構成に基づき、リモコン器１ｂは図８のステップＤ１〜Ｄ９に示すように動作し、ステップＤ１〜Ｄ３、Ｄ５、Ｄ６は図２のステップＡ１〜Ａ６に相当し、操作可能ボタンの情報を受信すると、ステップＤ１からステップＤ４、Ｄ５を介してステップＤ６に移行し、該当するボタンを点灯して発光し、同時に、ボタン別機能案内の表示信号を受信することにより、ステップＤ７によって画面表示装置１５にボタン別機能案内を画面表示する。又、操作メニューの表示信号を受信すると、ステップＤ１からステップＤ４、Ｄ５を介してステップＤ９に移行し、画面表示装置１５に操作メニューの機能一覧を画面表示する。
【００６６】
一方、本体装置２ｂは図９のステップＥ１〜Ｅ１６に示すように動作し、同図のステップＥ１〜Ｅ１６において、図３のステップＢ１〜Ｂ１６と異なる点は、図３のステップＢ１１、Ｂ１２、Ｂ１５の表示に代えてステップＥ１１、Ｅ１２、Ｅ１５の送信を行なう点である。
【００６７】
そして、本実施形態の場合、前記第１の実施形態と同様の効果を奏すると共に、ボタン別機能案内の画面表示及び操作メニューの機能一覧を画面表示がユーザーの手元のリモコン器１ｂで見ることができる利点がある。
【００６８】
そして、本発明は上記した両実施形態に限定されるものではなく、その趣旨を逸脱しない範囲において上述したもの以外に種々の変形実施を行なうことが可能であり、例えば、第１の実施形態の処理装置がテレビ受信装置又は同装置を含む複合装置であって、画面表示装置４が本体装置２ａに設けられていてもよい。
【００６９】
又、例えば第１の実施形態のリモコン器１ａに第２の実施形態の画面表示装置１５を設け、ボタン別機能案内の画面表示及び操作メニューの機能一覧を画面表示装置４、１５に表示するようにしてもよい。
【００７０】
更に、リモコン器１ａ、１ｂ及び本体装置２ａ、２ｂの各部の構成等はどのようであってもよく、各ボタンやその点灯手段の構成もどのようであってもよい。
【００７１】
そして、本発明は、携帯型のリモコン器を備えて映像、音声の少なくともいずれか一方の再生又は記録再生を行なう種々の処理装置に適用することができる。
【図面の簡単な説明】
【００７２】
【図１】本発明の第１の実施形態のブロック図である。
【図２】同上、携帯型のリモコン器１ａの動作説明用のフローチャートである。
【図３】同上、本体装置２ａの動作説明用のフローチャートである。
【図４】同上、画面表示装置４のボタン別機能案内の表示画面例の説明図である。
【図５】同上、リモコン器１ａと本体装置２ａの連係する動作の説明図である。
【図６】同上、画面表示装置４の操作メニューの表示画面例の説明図である。
【図７】本発明の第２の実施形態のブロック図である。
【図８】同上、携帯型のリモコン器１ｂの動作説明用のフローチャートである。
【図９】同上、本体装置２ｂの動作説明用のフローチャートである。
【符号の説明】
【００７３】
１ａ、１ｂ    リモコン器
２ａ、２ｂ    本体装置
４、１５    画面表示装置
１０    操作ボタン部
１１    ボタン操作検出部
１２、２１    送信部
１３、２０    受信部
１４    ボタン点灯制御部
２２    制御処理部
【図１】
2008060770.tif 000003
【図２】
2008060770.tif 000004
【図３】
2008060770.tif 000005
【図４】
2008060770.tif 000006
【図５】
2008060770.tif 000007
【図６】
2008060770.tif 000008
【図７】
2008060770.tif 000009
【図８】
2008060770.tif 000010
【図９】
2008060770.tif 000011